(57)【要約】【課題】  例えばホテルのフロントなどで貴重品を預かるのに最適な袋を提供することであって、特に、簡易迅速で間違えのない受け渡し作業が望めるとともに、不正な開封を防止でき、貴重品を保護することもできるようにすること。【解決手段】  貴重品Ａを収容する収容部１４を内部に有した袋状の本体１２を設け、上記収容部１４に連通する開口部１３を上端部に有した貴重品預かり用袋１１であって、上記開口部１３に、該開口部１３を閉じるべく折り返し可能なフラップ１５を設けるとともに、該フラップ１５の幅方向の長さを、開口部１３の幅寸法に対応する長さに設定し、上記開口部１３の下側位置に、分離用の切り離し線１８を形成し、上記本体１２の外表面における上記切り離し線１８よりも下側に、本体１２を提げるための提げ手１９の基部２０を固定した貴重品預かり用袋１１。【選択図】    図１
2005329993.tif 000002
【特許請求の範囲】
【請求項１】
貴重品を収容する収容部を内部に有した袋状の本体を設け、上記収容部に連通する開口部を上端部に有した貴重品預かり用袋であって、
上記開口部に、該開口部を閉じるべく折り返し可能なフラップを設けるとともに、
該フラップの幅方向の長さを、開口部の幅寸法に対応する長さに設定し、
上記開口部の下側位置に、分離用の切り離し線を形成し、
上記本体の外表面における上記切り離し線よりも下側に、本体を提げるための提げ手の基部を固定した
貴重品預かり用袋。
【請求項２】
前記フラップの内側面に、粘着剤を塗布してなる粘着部を設けた
請求項１に記載の貴重品預かり用袋。
【請求項３】
前記本体の下端に、内側に折り込まれ、収納部への貴重品の収納時に拡幅する折り込み底部を設けた
請求項１又は２に記載の貴重品預かり用袋。
【請求項４】
前記本体を、不透明の合成樹脂シートで構成した
請求項１から請求項３のうちのいずれか一項に記載の貴重品預かり用袋。
【請求項５】
前記提げ手を、前記開口部を介して相対向する本体の外表面にそれぞれ設けた複数の提げ手で構成するとともに、
これら提げ手同士の基部側の位置を、開口部を閉塞した時に束ねて止める止め具を付属した
請求項１から請求項４のうちのいずれか一項に記載の貴重品預かり用袋。
【請求項６】
前記止め具に、照合用の符号を設けた
請求項５に記載の貴重品預かり用袋。
【発明の詳細な説明】
【技術分野】
【０００１】
この発明は、例えばホテルのフロントなどに貴重品を預ける時に用いられるような貴重品預かり用袋に関する。
【０００２】
なお、「貴重品」とは、「物品」の語を主観で表現した語であって、客観的に観て貴重品でないものは含まないという意味ではなく、この明細書等では広く物品一般を指す意味で用いる。
【背景技術】
【０００３】
ホテル等でコート類やカバン類などの荷物を預かる場合には、預かった荷物に番号札をつけるとともに、顧客に対してこれと同じ番号のついた引き換え用の札を渡して対応している。
【０００４】
しかし、例えば結婚披露宴の時などにホテル等が預かる荷物には、上述のコート類やカバン類の他に、他人に余り触って欲しくないものや細々したものなどがある。例えばセカンドバッグや化粧ポーチ、携帯電話などである。  
これらのような貴重品を、フロント等で預かるのに適したものは存在しない。
【０００５】
そこで、出願人は、新規な袋を提供することで、貴重品の預かり作業を円滑に進めることを考えた。  
なお、出願人が知り得た袋としては、下記特許文献１、２、３のようなものがある。
【０００６】
すなわち、特許文献１の袋は、買い物をした時に渡される袋であって、上端の開口部に舌状止片を設けて、開口部を閉じられるようにしたものである。
【０００７】
特許文献２の袋も、買い物をした時に渡される袋であって、開口部に、開口部の幅と同一幅の突出縁を延長形成し、この突出縁に、粘着剤塗布層を形成している。そして、手提げ紐取付け用に設けた取付け金具同士を係合して開口部を閉鎖した後で、上記突出縁を折って上記粘着剤塗布層による接着で封止しようとするものである。
【０００８】
特許文献３は、万引き防止のために上端の開口部を閉じるようにした袋であって、上端の開口部に、適宜幅の封緘部を設けるとともに、該封緘部を切り離すためのミシン目をその下に設けたものである。
【０００９】
【特許文献１】実用新案登録第２５３９１３４号公報
【特許文献２】実開平２−８７４０号公報
【特許文献３】登録実用新案第３０１３２１７号公報
【発明の開示】
【発明が解決しようとする課題】
【００１０】
ところが、上記特許文献１の袋は、製造コストを抑えるためのもので、開口部の一部だけに舌状止片を形成している。このため、舌状止片のない部分では、内部が見え、手を入れることも可能な状態であって、貴重品の預かりには不適切である。
【００１１】
上記特許文献２の袋は、開口部の全体を閉じることができるが、突出縁に手提げひもを通すための切り欠きスロットを設けなければならず、製造にコストがかかる。そのうえ、封止作業時には手提げひもを上記切り欠きスロットに通さなければならないので、作業は煩雑である。作業が煩雑であると、時間の無いことが多い貴重品預かり作業がわずらわしいものとなってしまう。また、一度封止したあと開封すれば、その後は袋として普通に使用することはできない。
【００１２】
上記特許文献３の袋は、封緘部を設けているが、この封緘部を熱溶着やステープル等により止めるので、全体を閉じることはできない。このため、上記特許文献１と同様に、内部が見え、手も入れられる状態となって、貴重品預かりには不適切である。  
このように、上述の各袋は、そのまま貴重品預かりに用いることはできない。  
そこで、この発明は、貴重品を預かるのに最適である新規な袋の提供を主たる課題とする。
【課題を解決するための手段】
【００１３】
そのための手段は、貴重品を収容する収容部を内部に有した袋状の本体を設け、上記収容部に連通する開口部を上端部に有した貴重品預かり用袋であって、上記開口部に、該開口部を閉じるべく折り返し可能なフラップを設けるとともに、該フラップの幅方向の長さを、開口部の幅寸法に対応する長さに設定し、上記開口部の下側位置に、分離用の切り離し線を形成し、上記本体の外表面における上記切り離し線よりも下側に、本体を提げるための提げ手の基部を固定した貴重品預かり用袋であることを特徴とする。
【００１４】
すなわち、貴重品を預かる場合には、顧客に貴重品預かり用袋を渡して、貴重品を顧客の手によって収容部に入れてもらい、フラップを折り返して開口部を閉じる。フラップの幅方向の長さは、開口部の幅寸法に対応しているので、開口部の全体を閉鎖することができる。そして、顧客から貴重品預かり用袋ごと預かった貴重品を保管し、保管の後、顧客の求めに応じて貴重品預かり用袋ごと貴重品を顧客に渡す。
【００１５】
貴重品預かり用袋ごと渡された貴重品を手にした顧客は、本体の切り離し線より上側部分を自ら切り離すことで、収容部内に収容した貴重品を取り出すことができる。切り離し線より上側を切り離した後は、貴重品預かり用袋は提げ手を有し、フラップを持たない普通の手提げ袋状になるので、通常の袋として再度使用できる。
【００１６】
なお、上記フラップの内側面に、粘着剤を塗布してなる粘着部を設けると、フラップを閉じる作業が簡易迅速に行える。また、粘着部は、フラップの幅方向の全体又は略全体に設けるとよい。
【００１７】
上記本体の下端に、内側に折り込まれ、収納部への貴重品の収納時に拡幅する折り込み底部を設けると、嵩のある貴重品、幅の大きな貴重品でも安定して収納できる。
【００１８】
上記本体を、不透明の合成樹脂シートで構成すると、収納した貴重品が外から見えなくすることができるのでよい。
【００１９】
上記提げ手を、上記開口部を介して相対向する本体の外表面にそれぞれ設けた複数の提げ手で構成するとともに、これら提げ手同士の基部側の位置を、開口部を閉塞した時に束ねて止める止め具を付属するもよい。閉塞後に、止め具を提げ手に止めることで、閉塞された開口部の上側の空間に、提げ手が掛け渡された状態にすることができるので、引き離し線から上側の部分を分離するにはまず止め具を外さなければならなくなる。このため、不正な開封を抑制することができる。
【００２０】
またこの場合、上記止め具に、照合用の符号を設けると、止め具を取り付ける作業を、照合用の符号を取り付ける作業に融合させることができ、作業の簡略化を図れる。止め具に引き換え用の半券を備えれば、預かった時にその半券を切り離すなどして顧客に渡せる。
【発明の効果】
【００２１】
以上のように、この発明によれば、開口部はフラップで閉じるので、開口部を見せない状態で閉じることができる。しかも、フラップの幅方向の長さを、開口部の幅寸法に対応させたので、開口部の全体を閉じることができる。このため、内部の収容部を外部から見えない状態にすることができるとともに、手を入れることもできない状態にすることができる。
【００２２】
また、切り離し線を設けるとともに、本体の外表面におけるその切り離し線よりも下側に、本体を提げるための提げ手の基部を固定したので、フラップを折るのに提げ手が邪魔になることはなく、開口部を閉じる作業は簡易迅速に行える。さらに、貴重品の保管が終了した後で貴重品を取り出すときには切り離し線から上側を分離すればよいので、開封作業も簡易迅速に行え、この場合も、提げ手が邪魔になることはない。そして、切り離し後は、切り離し線部分に新しい開口部ができるとともに、提げ手を残すことができるので、上記開封作業をして内部の貴重品を確認した後、そのまま持ち帰っても体裁が悪くなく、また、貴重品預かり用袋を普通の袋として再使用することができて経済的でもある。
【００２３】
フラップの内側面に粘着部を設けると、上記開口部を閉じる作業は単に貼り付けるだけであるので、より一層簡単になる。また、ステープルや粘着テープ等で止める場合に比して開けにくくすることができるとともに、全体を完全に閉じることができ、不正を防止できる。
【００２４】
本体の下端に、折り込み底部を設けると、貴重品の収納時に収容部の内底部が広がるので、嵩の大きいものや厚みの厚いものを収納しても収まりがよい。また内底部の面積が広がるので、複数の貴重品を収納した場合でも、貴重品預かり用袋を提げた時にそれらが収容部内で乱れることを抑制でき、貴重品を大事に扱うことができる。
【００２５】
本体を不透明の合成樹脂シートで構成すると、外部から収容部を見えないようにすることができるとともに、預かった貴重品を不測に濡らしてしまうようなことを防止できる。また、外側から触れば自分のものか否かの判別も可能であり、不測の取り違えを防止でき、安全性の面でも有効である。
【００２６】
上記提げ手を、開口部を介して相対向させて設け、これら相対向する提げ手同士をその基部側の位置で束ねて止める止め具を付属すると、閉じた開口部の上方に提げ手を掛け渡した状態を作ることができる。そしてこの状態では、切り離し線から上側の部分を切り離そうとしても容易には切り離せないので、万が一不正な開封が行われようとしても、その作業を遅らせ、また防止することができる。
【００２７】
その提げ手に、顧客との照合を行うための照合用の符号を設けると、その符号を利用して、照合を行うことができるので、別途に照合用のタグなどを用意する必要性はなく、上述のように不正な開封を抑制又は阻止する効果と相まって、貴重品預かり作業の簡素化を図ることができる。また、顧客に渡すための半券を、止め具に対して、例えば切り離し線を介して取り付けておけば、ほかに一切の照合用の手段を必要とすることはなくなるので、預かり作業のより一層の簡素化を図ることができる。
【発明を実施するための最良の形態】
【００２８】
この発明を実施するための一形態を、以下図面を用いて説明する。  
図１は、貴重品預かり用袋１１（以下、袋という）の構成を示す斜視図であり、この袋１１は、例えばポリエチレンなどの不透明な合成樹脂シートからなる基材で形成している。
【００２９】
袋１１の本体１２は、基材を前後方向に重合させた偏平な方形状で、上端部のみに開口部１３を有し、この開口部１３から内部の収容部１４への貴重品の出し入れを行うようにしている。  
そして上記開口部１３の前後方向の一方側を他方側よりも上方に延出して、開口部１３を閉じるべく折り返し可能な、適宜幅のフラップ１５を形成している。
【００３０】
このフラップ１５の幅方向の長さは、開口部１３の幅寸法に対応する長さに設定している。そしてこのフラップ１５の内側面には、その長さ方向の全体にわたって、粘着剤を塗布してなる粘着部１６を形成している。粘着部１６は、開口部１３を閉じた状態を強固に保持するためのもので、折り返して開口部１３を閉じた時に対向する、本体１２における反対側の外表面に貼り付く。粘着部１６の上には、離型シート１７を重合している。
【００３１】
また、本体における上記開口部１３の下側位置には、分離を可能とする切り離し線１８を形成して、この切り離し線１８より上側全体を分離できるようにしている。この分離は、一度閉じた後の開封が容易に、そしてきれいに行えるようにするためのものである。このため、切り離し線１８の位置は、折り返して開口部１３を閉じたフラップ１５の粘着部１６がかからない位置に設定する。
【００３２】
この切り離し線１８は、図示例のようなミシン目のほかに、例えば基材をその厚み方向にハーフカットして形成される切り離し線であるも、周知のカットテープを貼り付けて形成した切り離し線であるもよく、必要があればノッチを形成するもよい。  
そしてまた、本体１２の外表面における上記切り離し線１８よりも下側に、本体１２を提げるための提げ手１９の基部２０を固定している。
【００３３】
提げ手１９は、適宜幅の合成樹脂製テープで構成し、その両端を上記基部２０として、逆Ｕ字状になるように本体１２に対して固定する。固定位置は、本体１２における左右両側の２箇所に、均等に設定する。また固定は、溶着等の適宜手段で行う。  
この提げ手１９は、本体１２の前後方向の両側でそれぞれ相対向するように一組設ける。  
また本体１２の下端には、本体１２を構成する基材を逆Ｖ字状に内側に折り込んで、折り込み底部２１を形成している。
【００３４】
本体１２の左右両側縁は、重合された基材を前後方向にシールするシール部２２である。  
袋１１は上述のように構成されるものとして、つぎに、作用・効果を説明する。
【００３５】
貴重品Ａを預かる側は、袋１１を顧客に渡して、図２に示したように、収容部１４に貴重品を入れてもらい、開口部１３を閉じてもらう。開口部１３を閉じるには、離型シート１７を剥がして、フラップ１５を折り返すだけでよく簡単である。また、このとき、提げ手１９は、本体１２の外表面に固定しているので、開口部１３を閉じる作業に提げ手１９が邪魔になることはなく、単に折り返すだけでよい。
【００３６】
そして適宜印を付けるなど、どの顧客からの預かり品であるかがわかるようにする適宜の手段を講じて預かる。
【００３７】
図３は、その手段の一例であって、図示したように、照合用の符号２３，２４を併記した照合用の札２５を袋１１に対して、好ましくは袋１１の切り離し線１８よりも上側の位置に、ステープル等の適宜手段で固定して、符号のひとつ２４が記載された部分を引き換え用の半券２６として切り離して渡せばよい。袋１１に対して固定するものと、顧客に渡す引き換え用のものとを別々に用意しておくもよい。
【００３８】
保管されている間、本体１２は折り込み底部２１を開いて貴重品Ａをゆったりと包み込むとともに、貴重品Ａが複数の場合には移動時にこれらが乱雑に動かないように整然とまとめる。また、濡れ等から守る。
【００３９】
保管後に顧客に渡す時には、袋１１のまま渡せばよい。顧客は、自ら開封を行う。開封は、本体１２に設けた切り離し線１８で切り離せば行える。しかも、提げ手１９は、本体１２の外表面に固定されており、フラップ１５とは関わりをもっていないので、切り離しに際して、提げ手１９は邪魔にならず、図４に示したように、きわめて容易に切り離すことができる。
【００４０】
切り離されて残った部分は、図４に見られるように、提げ手１９を有した通常の袋と同じ形態となるので、そのまま貴重品を入れたまま持ち帰ることもでき、また、後で袋として別途に再使用することもできる。また、上述のように照合用の札２５を固定しても、その部分は切り離せるので、袋としての形態に何ら影響はない。
【００４１】
上述のように、封止時には、本体１２内の収容部１４に収納された貴重品Ａは、開口部１３を通しては見えず、また手も入れられず、透視もできない状態であって、直接手で触れない状態である。このため、預かった貴重品Ａを収納するのに適した袋となる。
【００４２】
しかも、折り込み底部２１の存在によって貴重品Ａをゆったりと収容できるとともに、平たく広がる底を形成することができるので、貴重品Ａが複数の場合でも、移動時に乱雑に動いたりしないような整然とした収納ができ、貴重品Ａを守ることができる。
【００４３】
また、本体１２は合成樹脂シートからなるので、不測の濡れからも貴重品を守ることができるとともに、内部は見えなくても、紙袋と違って柔軟であるので、外から触っただけで自分のものであるか否かの判別もつき、取り違えを予防する効果も有する。
【００４４】
そして、フラップ１５と粘着部１６との存在と、提げ手１９の固定位置とにより、開口部１３を閉じる動作が簡易迅速に行えるとともに、切り離し線１８を設けたので、開封も容易である。開封時にも、提げ手１９が邪魔になることはない。
【００４５】
このように、他人に余り触って欲しくないものや細々したものなどの貴重品Ａを預かるのには最適な袋１１であるとともに、切り離し線１８を設けたので、袋１１を一度限りで終わらせずに、再度使用可能にすることもできて、経済的で利便性が高い。
【００４６】
図５はその他の形態を示し、提げ手１９を束ねる止め具２７を付属した袋１１を示す斜視図である。
【００４７】
すなわち、提げ手１９は本体１２の前後方向の両外表面に一組設けているが、その提げ手１９は逆Ｕ字状であるので、開口部を挟んで前後方向に相対向する部分は、袋１１の左右方向に２ヶ所あることになる。
【００４８】
この２箇所の部分を、提げ手１９のより基部側２０の位置で束ねることで、袋１１が不正に開けられてしまうような事態を抑制又は抑止しようとするものである。
【００４９】
つまり、上記止め具２７は、紙等の適宜材料で形成され、適宜幅の帯状に形成される。そして長さ方向の一方側に、粘着剤を塗布した粘着剤層２８を形成し、離型紙２９で覆っている。粘着剤層２８の形成位置を長さ方向の一方側のみに設定したのは、粘着剤が提げ手１９に付いて、上述のような袋１１の再使用が不可能になるのを防止するためであるとともに、開封しやすさを保つためである。
【００５０】
このように形成した止め具２７は、開口部１３を閉じた後、本体１２の前後方向に相対向する提げ手１９における２箇所のできるだけ下側の部分に巻きつけるようにして止めて使用される。止め具２７で止めることによって、閉じられた開口部１３の上方に提げ手１９が掛け渡された状態を作ることができる。このため、この止め具２７を外さない限り、容易には切り離し線１８からの切り離しができない状態となる。このため、不正に開封しようとしても、時間が掛かるようにすることができ、不正の抑制又は抑止が可能になる。
【００５１】
このような止め具２７を付属する場合には、その止め具２７を、例えば図６に示したように、照合用の符号３０，３１を設けて形成するとよい。
【００５２】
すなわち、図６に示した止め具２７は、図５に示した止め具と同様に、適宜幅の帯状に形成され、長さ方向の一方側に粘着剤層２８が形成されるが、この粘着剤層２８の反対側の面（外側面）に、一つの照合用の符号３０を付しており、上記粘着剤層２８とは反対側の端部（長さ方向の他方側）には、引き換え用の半券部３２を形成して、この半券部３２の内側面に、上記符号３０と同一内容の、別の照合用の符号３１を付している。また、上記半券部３２は切り離し用のミシン目３３を介して形成している。
【００５３】
止め具２７が手で千切れる材料であれば、上記ミシン目３３は形成せずともよく、またミシン目に代えて、上記切り離し線１８の場合と同様に、その他の適宜手段を採用するもよい。
【００５４】
このように構成した止め具２７を使用する場合には、止め具２７を提げ手１９に取り付けた後、半券部３２を切り離して顧客に渡せばよく、別途に識別のための手段を用意する必要が無いので、受け渡しの手間を簡略化できるとともに、別途に用意する必要がない分、従来は必要であった引き換え用の札などの管理が容易になる。
【００５５】
以上はこの発明を実施するための一形態であって、上述の構成のほか、様々な形態を得ることができる。
【図面の簡単な説明】
【００５６】
【図１】貴重品預かり用袋の斜視図。
【図２】使用状態を示す貴重品預かり用袋の斜視図。
【図３】使用状態を示す貴重品預かり用袋の斜視図。
【図４】作用状態の貴重品預かり用袋の斜視図。
【図５】作用状態の貴重品預かり用袋の斜視図。
【図６】止め具の斜視図。
【符号の説明】
【００５７】
１１…貴重品預かり用袋
１２…本体
１３…開口部
１４…収容部
１５…フラップ
１６…粘着部
１８…切り離し線
１９…提げ手
２０…基部
２１…折り込み底部
２７…止め具
３０，３１…照合用の符号
Ａ…貴重品
【図１】
2005329993.tif 000003
【図２】
2005329993.tif 000004
【図３】
2005329993.tif 000005
【図４】
2005329993.tif 000006
【図５】
2005329993.tif 000007
【図６】
2005329993.tif 000008